(57)【要約】【課題】室内から人がいなくなると運転を停止するため人の活動による気流や空気清浄機運転による気流により室内空間に浮遊していた粉塵粒子は気流がなくなったことで徐々に降下・沈降し床面にホコリが堆積してしまう課題があった。【解決手段】本体１に汚れを検知する汚れ検知手段１０と、室内の人の有無を判定する在室判定手段（人検知センサ８）と、制御部９を設け、この制御部９は、汚れ検知手段１０と前記在室判定手段をもとに、汚れ度を判定する汚れ決定手段１１を設け、人が不在と判断した場合に、感度設定を変更することで、粉塵粒子を集塵する空気清浄運転を行うことで、床面へのホコリ堆積を低減することを目的とする。【選択図】図４
2015064173.tif 000002
【特許請求の範囲】
【請求項１】
本体に吹出口、吸込口を設け、前記本体内に、空気清浄部と送風部を設けた空気清浄機において、前記本体に室内の汚れを検知する汚れ検知手段と、室内の人の有無を判定する在室判定手段と、前記送風部の運転を制御する制御部を設け、この制御部は、前記汚れ検知手段の検知信号と前記在室判定手段の信号をもとに、室内の汚れ度を判定する汚れ決定手段を設け、この汚れ決定手段は、少なくとも２つ以上の感度設定を有しており、前記汚れ決定手段は前記在室判定手段により人が不在と判断した場合に、感度設定を変更することを特徴とする空気清浄機。
【請求項２】
前記制御部が、前記在室判定手段が人の不在を判断した場合に、前記送風部の風量を在室時に運転する風量よりも大きくし、所定時間運転させるそうじモードを有し、前記汚れ判定手段は、前記そうじモードに移行と同時に感度設定を在室時の感度設定よりも高感度に変更することを特徴とする空気清浄機。
【請求項３】
記在室判定手段が不在状態から在室と判断した場合、前記汚れ判定手段の感度設定を不在時の設定から在室時の感度設定に戻すことを特徴とする空気清浄機。
【請求項４】
前記制御部には、前記そうじモードが所定時間経過し、かつ、前記汚れ検知手段からの信号が無い場合に、前記汚れ判定手段の感度設定を不在時の設定から在室時の感度設定に戻すことを特徴とする空気清浄機。
【発明の詳細な説明】
【技術分野】
【０００１】
本発明は、一般家庭や事務所等で使用される空気清浄機に関するものである。
【背景技術】
【０００２】
従来、この種の空気清浄機では、本体前面に吸い込み口と人検知センサを備え人検知センサの検知回数に基づいて検知回数が多いと運転風量も大きくし清浄化運動するものが知られている（例えば、特許文献１参照）。
【先行技術文献】
【特許文献】
【０００３】
【特許文献１】特開平１−１６３５４６号公報
【発明の概要】
【発明が解決しようとする課題】
【０００４】
しかしながら、このような従来の空気清浄機の運転方法では、室内から人がいなくなると運転を停止する。そして、人の活動や空気清浄機運転による気流により室内空間に浮遊していた粉塵粒子は気流がなくなったことで徐々に降下・沈降し床面にホコリが堆積する。そのため、空気清浄機で検出する粉塵粒子量は、実際に室内に存在する粉塵粒子の量よりも小さくなってしまう課題があった。
【０００５】
そこで本発明は、このような従来の課題を解決するものであり、人の不在を検知することにより、人の活動による気流が無くなった空間においても粉塵粒子を検出し、粉塵粒子を集塵する空気清浄運転を行うことで、床面へのホコリ堆積を低減することを目的とする。
【課題を解決するための手段】
【０００６】
そしてこの目的を達成するために、本発明の空気清浄機は、本体に吹出口、吸込口を設け、前記本体内に、空気清浄部と送風部を設けた空気清浄機において、前記本体に室内の汚れを検知する汚れ検知手段と、室内の人の有無を判定する在室判定手段と、前記送風部の運転を制御する制御部を設け、この制御部は、前記汚れ検知手段の検知信号と前記在室判定手段の信号をもとに、室内の汚れ度を判定する汚れ決定手段を設け、この汚れ決定手段は、少なくとも２つ以上の感度設定を有しており、前記汚れ決定手段は前記在室判定手段により人が不在と判断した場合に、感度設定を変更することを特徴とする空気清浄機としたものであり、これにより所期の目的を達成するものである。
【発明の効果】
【０００７】
本発明によれば、本体に吹出口、吸込口を設け、前記本体内に、空気清浄部と送風部を設けた空気清浄機において、前記本体に室内の汚れを検知する汚れ検知手段と、室内の人の有無を判定する在室判定手段と、前記送風部の運転を制御する制御部を設け、この制御部は、前記汚れ検知手段の検知信号と前記在室判定手段の信号をもとに、室内の汚れ度を判定する汚れ決定手段を設け、この汚れ決定手段は、少なくとも２つ以上の感度設定を有しており、前記汚れ決定手段は前記在室判定手段により人が不在と判断した場合に、感度設定を変更することを特徴とする空気清浄機としたものであり、無人の状態のときに、汚れ決定手段の感度設定を変更し、室内の汚れを検知し、空気清浄運転を行うことで、床面へのホコリ堆積を低減することができる。
【図面の簡単な説明】
【０００８】
【図１】本発明の実施の形態１の空気清浄機の外観斜視図
【図２】同空気清浄機の断面構成図
【図３】同空気清浄機の前面化粧板スライド時の断面構成図
【図４】同空気清浄機のブロック図
【図５】同空気清浄機の制御動作を示すフローチャート
【図６】同空気清浄機の汚れ検知手段の構成を示す図
【図７】同空気清浄機の感度設定の関係を示す図
【発明を実施するための形態】
【０００９】
本発明の請求項１記載の空気清浄機は、本体に吹出口、吸込口を設け、前記本体内に、空気清浄部と送風部を設けた空気清浄機において、前記本体に室内の汚れを検知する汚れ検知手段と、室内の人の有無を判定する在室判定手段と、前記送風部の運転を制御する制御部を設け、この制御部は、前記汚れ検知手段の検知信号と前記在室判定手段の信号をもとに、室内の汚れ度を判定する汚れ決定手段を設け、この汚れ決定手段は、少なくとも２つ以上の感度設定を有しており、前記汚れ決定手段は前記在室判定手段により人が不在と判断した場合に、感度設定を変更することを特徴とする空気清浄機としたものである。
【００１０】
このように、汚れ決定手段の感度設定を変更することで、少ない粉塵粒子を検出することができ、空気清浄機の運転を行うことで、床面へのホコリ堆積を低減するとともに、堆積したホコリを巻き上げて空気清浄機に吸い込むことにより、留守中に室内をきれいにすることができることができるという効果を奏する。
【００１１】
本発明の請求項２記載の空気清浄機は前記制御部は、前記在室判定手段が人の不在を判断した場合に、前記送風部の風量を在室時に運転する風量よりも大きくし、所定時間運転させるそうじモードを有し、前記汚れ判定手段は、前記そうじモードに移行と同時に感度設定を在室時の感度設定よりも高感度に変更することを特徴とする空気清浄機としたものであり、この構成にすることにより、そうじモードのときに、汚れ決定手段の感度設定を高感度に変更し、室内の汚れを検知し、空気清浄運転を行うことで、床面へのホコリ堆積を低減することができるという効果を奏する。
【００１２】
本発明の請求項３記載の空気清浄機は、前記在室判定手段が不在状態から在室と判断した場合、前記汚れ判定手段の感度設定を不在時の設定から在室時の感度設定に戻すことを特徴とする。
【００１３】
本発明の請求項４記載の空気清浄機は、前記制御部には、前記そうじモードが所定時間経過し、かつ、前記汚れ検知手段からの信号が無い場合に、前記汚れ判定手段の感度設定を不在時の設定から在室時の感度設定に戻すことを特徴とする。
【００１４】
以下、本発明の実施の形態について図面を参照しながら説明する。
【００１５】
（実施の形態１）
図１の外観斜視図と図２の断面構成図に示すように、空気清浄機の本体１は略箱形に形成されている。本体１の前面には室内の空気を吸入する吸込口３を備え、さらに、この吸込口３を覆うようにして前面化粧板２が設けられている。本体１に吸い込まれる空気は、前面化粧板２の周囲、すなわち、本体１と前面化粧板２との間を通って吸込口３に吸い込まれることになる。また、図３に示すように、前面化粧板２は、前方斜め上にスライドする機構が設けられている。吸込口３は、前面化粧板２をスライドすることによって開口面積が変更できるようになっている。
【００１６】
また、本体１の上面には清浄化された空気を室内に吹出す吹出口５を設け、この吹出口５には仰角方向に吹出し方向を変更する吹出ルーバー４を備えている。また、本体１内には吸込口３から吸入した空気を清浄化する空気清浄部としてのフィルタ６と、吸込口３から吸入した空気をフィルタ６に通風し吹出口５から送出する送風部としてのファンモータ７と、このファンモータ７の運転を制御する制御部９を備えている。
【００１７】
また、室内の人の有無を判定できるように本体１の前面に在室判定手段としての人検知センサ８を設けている。この人検知センサ８は、例えば、赤外線を集光するフレネルレンズと高誘電セラミック等の焦電素子と人が動作する動作速度、例えば１〜１０Ｈｚの周波数帯域にゲインをもつフィルタから構成され、人から放射される赤外線エネルギーにより焦電素子の表面温度が変化し表面に電荷が発生する焦電効果を用い、人の動作を電圧信号として出力するものが用いられる。
【００１８】
また、室内の空気の汚れを検知するために本体１の前面もしくは側面に汚れ検知手段１０を設けている。汚れ検知手段１０は、例えば発光素子と、受光素子と、レンズから構成され、発光素子からの照射光をホコリに照射し、ホコリからの反射光をレンズを通して受光素子で受光して、ホコリを検出するごとにパルス状の信号を出力することでホコリの数がカウントされるものが用いられる。
【００１９】
また、図４に示すように、制御部９には、汚れ決定手段１１を備えている。汚れ決定手段１１では、人検知センサ８と汚れ検知手段１０の信号により室内の汚れ度を決定する。
【００２０】
図６は、汚れ決定手段１１の構成を示す図である。
【００２１】
汚れ決定手段１１は、感度設定テーブルを少なくとも２つ以上（本実施の形態では２つ）有しており、さらに各感度設定テーブルには少なくとも２つ以上（本実施の形態では５つ）の検知レベルを有する。検知レベルは、汚れ検知手段１０のパルスの数と関係があり、たとえば、Ａ1（本実施の形態ではＡ1＝１０）より汚れ検知手段１０からのパルスの数が多ければ汚れ度が１段階あがる。
【００２２】
上記構成において、そうじモード中に汚れ決定手段１１の感度設定テーブルを変更する動作について図５に示すフローチャートを用いて説明する。
【００２３】
本体１の運転スイッチ（図示せず）をＯＮにすると、空気清浄機運転（Ｓ１）が開始され、制御部９はファンモータ７を汚れ決定手段１１が出力する汚れ度に対応した風速にて駆動する。すなわち、汚れ決定手段１１が出力する汚れ度が大きいとき、すなわち室内が汚れているときには風速を大きくし、汚れ度が小さいと風速を小さくする。このとき、汚れ決定手段１１は感度設定テーブルを感度設定Ａにする（Ｓ２）。この状態は通常運転モードである。ここで、通常運転モードで運転する風速を風速ＶAと定義する。
【００２４】
なお、通常運転モードとは、操作スイッチ（図示せず）で指定された風速（この風速を風速ＶAとする）で運転するものとしてもよい。
【００２５】
在室判定手段（人検知センサ８）は、室内の人の有無をセンシングし室内における人の在室もしくは不在を判定している（Ｓ３）。在室判定手段が在室と判定している間は、制御部９はファンモータ７を風速ＶAにて駆動し、汚れ決定手段１１は感度設定テーブルを感度設定Ａのまま維持する。在室判定手段が不在と判定すると、そうじモードをＯＮする（Ｓ４）。そうじモードがスタートすると、制御部９はファンモータ７を風速ＶBにて駆動し、汚れ決定手段１１は感度設定テーブルを感度設定Ｂに変更する（Ｓ５）。
【００２６】
この風速ＶBは、以下の関係が成り立つ風速である。
【００２７】
風速ＶB  ≧  風速ＶAの最大値
図７は感度設定Ａと感度設定Ｂの関係を示す図である。感度設定Ｂは感度設定Ａに比べて汚れ検知手段１０からのパルス数が少なくても、室内が汚れていると判断することができる。つまり、感度設定Ｂは感度設定Ａに比べて高感度である。なお、感度設定のパルス数と汚れ度の関係は、比例関係でなくてもよい。
【００２８】
そうじモードがスタートした後、在室判定手段が不在と判定している間は、制御部９はファンモータ７を風速ＶBにて駆動継続し、汚れ決定手段１１は感度設定テーブルを感度設定Ｂのまま維持する。在室判定手段が在室と判定すると、そうじモードをＯＦＦする（Ｓ６）。
【００２９】
もしくは、そうじモードがスタートした後、所定時間Ｓ（本実施の形態では、３０分）が経過し、かつ、汚れ検知手段１０の検知信号のパルス数が感度設定ＢのＢ1未満（本実施の形態ではＢ1＝５）の場合、そうじモードをＯＦＦする（Ｓ７，Ｓ８）。そうじモードスタート後、所定時間Ｓ未満もしくは、汚れ検知手段１０の検知信号のパルス数が感度設定ＢのＢ1以上の場合は、制御部９はファンモータ７を風速ＶBにて駆動継続し、汚れ決定手段１１は感度設定テーブルを感度設定Ｂのまま維持する。そうじモードがＯＦＦすると、制御部９は通常運転モードに移行し、ファンモータ７を風速ＶAにし、汚れ決定手段１１は感度設定テーブルを感度設定Ａに戻す（Ｓ２）。なお、そうじモード終了後、在室判定手段の判定結果が「不在」のときには、通常運転モードへ移行するのではなく、ファンモータ７を停止させる待機モードに移行してもよい。
【００３０】
このように、人が不在時にそうじモードにより風速を大きくし、汚れ決定手段の感度設定テーブルを高感度に設定することで、少ない粉塵粒子を検出することができる。そして、不在の間に大きな風速で空気清浄機の運転を行って、床面へのホコリ堆積を低減するとともに、堆積したホコリを巻き上げて空気清浄機に吸い込むことによって、留守中に室内をきれいにすることができるようになる。
【００３１】
なお、在室判定手段として、本体１に設けられたそうじモードスイッチ（図示せず）を押下することで人の不在を判断してもよい。この場合には、そうじモードスイッチを押し下げてから所定時間（５分程度）経過後、そうじモードをスタートさせるとよい。
【産業上の利用可能性】
【００３２】
本発明にかかる空気清浄機は、人が不在時の床面へのホコリ堆積を低減することが出来るものであり、家庭用や事務所用などの加湿機能付空気清浄機にも適用できる。
【符号の説明】
【００３３】
１  本体
２  前面化粧板
３  吸込口
４  吹出ルーバー
５  吹出口
６  フィルタ（空気清浄部）
７  ファンモータ（送風部）
８  人検知センサ（在室判定手段）
９  制御部
１０  汚れ検知手段
１１  汚れ決定手段
【図１】
2015064173.tif 000003
【図２】
2015064173.tif 000004
【図３】
2015064173.tif 000005
【図４】
2015064173.tif 000006
【図５】
2015064173.tif 000007
【図６】
2015064173.tif 000008
【図７】
2015064173.tif 000009